(57)【要約】【課題】観覧車のゴンドラ内で案内放送を行うシステムをより簡素な構成によって実現する。【解決手段】観覧車用コンテンツ再生システム１０は、観覧車のゴンドラまたはゴンドラ群毎に設けられるゴンドラユニット２８には、音声および／または画像のコンテンツを記憶する記憶部５８と、回動部の回動に伴って１回転あたり所定数のクロックを発生させるクロック発生部４２と、カウンタ６４によるクロックの計数結果に基づいて、ゴンドラ毎に設けられた出力部２４によるコンテンツの出力を制御する制御部６６と、を備える。【選択図】図２
2005034492.tif 000002
【特許請求の範囲】
【請求項１】
観覧車のゴンドラまたはゴンドラ群毎に、観覧車の回動部に設けられ、音声および／または画像のコンテンツを記憶する記憶部と、
前記回動部の回動に伴って１回転あたり所定数のクロックを発生させるクロック発生部と、
前記回動部に設けられ、前記クロックの計数結果に基づいて、ゴンドラ毎に設けられた出力部による前記コンテンツの出力を制御する制御部と、
を備える観覧車用コンテンツ再生システム。
【請求項２】
前記記憶部には複数のコンテンツが記憶され、
前記制御部は、前記クロックの計数結果に基づいて、前記複数のコンテンツのうち出力するコンテンツを選択することを特徴とする請求項１に記載の観覧車用コンテンツ再生システム。
【請求項３】
ゴンドラに設けられるスイッチを備え、
前記スイッチがＯＮされたときにそのゴンドラに対応する前記クロックの計数結果がリセットされることを特徴とする請求項１または２に記載の観覧車用コンテンツ再生システム。
【請求項４】
前記回動部の回動に伴って所定位置に到来したゴンドラを検出するゴンドラセンサを備え、
前記クロック発生部は、前記ゴンドラセンサによる検出結果に基づいてクロックを発生することを特徴とする請求項１〜３のうちいずれか一つに記載の観覧車用コンテンツ再生システム。
【請求項５】
前記制御部に向けたクロックは、前記クロック発生部と制御部との間において、電力線搬送方式または無線伝送方式によって伝送されることを特徴とする請求項１〜４のうちいずれか一つに記載の観覧車用コンテンツ再生システム。
【請求項６】
請求項１〜５のうちいずれか一つに記載の観覧車用コンテンツ再生システム用のゴンドラユニットであって、
観覧車のゴンドラまたはゴンドラ群毎に設けられ、前記記憶部と前記制御部とを備えるゴンドラユニット。
【発明の詳細な説明】
【技術分野】
【０００１】
本発明は、観覧車のゴンドラ内で音声および／または画像のコンテンツを再生するシステムに関し、特に、観覧車の回動部の回転位置に応じたコンテンツ再生を可能とする技術に関する。
【背景技術】
【０００２】
従来より、ゴンドラ内で音声や画像による案内を行う観覧車があり、発明者らは過去に、かかる観覧車に好適な情報伝送システムを提案した（特許文献１）。
【０００３】
提案した情報伝送システムは、観覧車の固定部側から回動部側に供給される電源電圧に情報伝送信号を重畳するものである（いわゆる電力線搬送方式）。この方式によれば、情報伝送信号の専用線を廃止できるので、製造やメンテナンスに要する手間および費用を削減できるというメリットがある。また、固定部と回動部との摺動部に設けられるスリップリングからのノイズ混入が抑制されるというメリットもある。さらに、各ゴンドラあるいはゴンドラ群毎にチャネルを分け、回動部の回動位置に応じた情報を提供すれば、ゴンドラからの眺望に合った案内を行うことができるというメリットもある。
【０００４】
さらに、同じくゴンドラの位置に応じた案内を行うという観点から、コンテンツを記憶した再生装置を各ゴンドラに設け、その再生装置に向けて回動部の回動位置を示す情報を送信し、各再生装置がその情報に基づいてコンテンツの再生を制御するという方式も提案した。
【０００５】
【特許文献１】特開２００２−２３３６６９号公報
【発明の開示】
【発明が解決しようとする課題】
【０００６】
このように、提案した情報伝送システム（特許文献１）は極めて顕著な効果を奏するものであるが、発明者らは、当該システムの更なる改良について検討した結果、より一層簡素な構成で、その製造やメンテナンスに要する手間および費用を一層低減可能とするシステムを見出すに至った。
【課題を解決するための手段】
【０００７】
本発明にかかる観覧車用コンテンツ再生システムは、観覧車のゴンドラまたはゴンドラ群毎に、観覧車の回動部に設けられ、音声および／または画像のコンテンツを記憶する記憶部と、上記回動部の回動に伴って１回転あたり所定数のクロックを発生させるクロック発生部と、上記回動部に設けられ、上記クロックの計数結果に基づいて、ゴンドラ毎に設けられた出力部による上記コンテンツの出力を制御する制御部と、を備える。
【０００８】
また上記本発明にかかる観覧車用コンテンツ再生システムでは、上記記憶部には複数のコンテンツが記憶され、上記制御部は、上記クロックの計数結果に基づいて、上記複数のコンテンツのうち出力するコンテンツを選択するのが好適である。
【０００９】
また上記本発明にかかる観覧車用コンテンツ再生システムでは、ゴンドラに設けられるスイッチを備え、上記スイッチがＯＮされたときにそのゴンドラに対応する上記クロックの計数結果がリセットされるのが好適である。
【００１０】
また上記本発明にかかる観覧車用コンテンツ再生システムでは、上記回動部の回動に伴って所定位置に到来したゴンドラを検出するゴンドラセンサを備え、上記クロック発生部は、上記ゴンドラセンサによる検出結果に基づいてクロックを発生するのが好適である。
【００１１】
また上記本発明にかかる観覧車用コンテンツ再生システムでは、上記制御部に向けたクロックは、上記クロック発生部と制御部との間において、電力線搬送方式または無線伝送方式によって伝送されるのが好適である。
【００１２】
また上記本発明にかかる観覧車用コンテンツ再生システム用のゴンドラユニットは、観覧車のゴンドラまたはゴンドラ群毎に設けられ、上記記憶部と上記制御部とを備える。
【発明の効果】
【００１３】
本発明にかかる観覧車用コンテンツ再生システムは、簡素な構成とすることができるので、その製造やメンテナンスに要する手間および費用を、従来システムに比べてより一層低減することができるというメリットがある。
【発明を実施するための最良の形態】
【００１４】
図１は、観覧車用コンテンツ再生システム１０が装備される観覧車１２の側面図、また、図２は、観覧車用コンテンツ再生システム１０の要部構成を示すブロック図である。
【００１５】
図１に示すように、観覧車１２は、回動輪１４およびゴンドラ１６を含む回動部１８と、回動輪１４を回動自在に支持する支持部２０と、を含む。乗客は、回動輪１４の下死点付近の乗降部２２でゴンドラ１６に乗降する。ゴンドラ１６には音声や画像（動画、静止画）を出力する出力部（例えばスピーカ、ディスプレイ等）２４（図２）が設けられており、乗客は、ゴンドラ１６内で、案内放送や緊急時の放送等を視聴することができる。なお、本明細書では、上記支持部２０を含め、回動することなく地面に固定される部分を固定部と称する。
【００１６】
図２に示すように、観覧車用コンテンツ再生システム１０は、固定部に設けられる地上装置２６と、各ゴンドラ１６に設けられるゴンドラユニット２８とを含む。
【００１７】
地上装置２６は、各種信号（例えば放送信号やクロック信号（後述）等）を、ゴンドラユニット２８に向けて送信するための機能を備える。ここで、それら信号は、回動部１８の各種電器に電源電力を供給する電力線３０経由で、いわゆる電力線搬送方式によって送信するのが好適である。図２の例では、電力線搬送処理部３２は、それら信号を周波数変調した信号（ＦＭ信号）として電力線３０に重畳している。このような構成により、それら信号の専用線を設けた場合に比べ、製造やメンテナンスに要する手間および費用を削減することができる。なお、各種信号を無線伝送方式で送信するようにしてもよい。
【００１８】
また、電力線搬送処理部３２は、複数の信号を相互干渉させることなく多重に（並行して）送信することができる。図２の例では、音声信号を高い周波数帯域とし、クロック信号を低い周波数帯域とする、いわゆるＦＤＭ（周波数分割多重方式）が採用されている。具体的には、マイク３４で取得された音声信号とテープレコーダ３６から出力された音声信号は、オーディオミキサ３８でミキシングされ、さらに、フィルタ（この例ではハイパスフィルタ：ＨＰＦ）４０を介して電力線搬送処理部３２に入力される。一方、クロック信号は、クロック発生部４２から入力される。そして、クロック信号は、音声信号用の帯域としては利用しない低い周波数（例えば６０Ｈｚ）で所定期間（例えば５秒）継続するバースト信号とし、また、ハイパスフィルタ４０のカットオフ周波数は、その周波数以上（例えば１５０Ｈｚ）とする。こうすることで、音声信号用の回路からクロック信号のノイズ成分が混入するのを防止している。なお、図２では、音声による放送信号を送信する場合の構成について例示しているが、映像による放送信号を送信する場合にも電力線搬送や多重送信が可能であるのは、当業者であれば容易に理解できよう。
【００１９】
クロック信号は、回動部１８の回動に伴って１回転あたり所定数生成される。図１の例では、所定のゴンドラ１６が所定位置を通過する度に生成されるようになっている。具体的には、支持部２０の脚部に、ゴンドラセンサ（例えば光電遮断式センサ等）４４を設け、回動部１８の回動に伴ってその検出位置に到来した（光電遮断式センサの光路を遮断した）ゴンドラ１６が全て検出されるようになっている。そして、クロック発生部４２は、ゴンドラ１６が検出される毎にクロック信号を発生してもよいし、所定回数の検出ごとにクロック信号を発生するようにしてもよい。なお、図１の例では、回動部１８は１２個のゴンドラ１６を有しており、クロック信号は回動部１８が１回転する毎に最大１２個発生することになる。
【００２０】
地上装置２６から各ゴンドラユニット２８に至るまでの電力線３０には、スリップリング４６，４８が設けられる。一つは、支持部２０が回動輪１４を回動自在に支持するためのシャフト１４ａ（およびその軸受面）に設けられるものであり（４６）、もう一つは、回動輪１４が各ゴンドラ１６を回動支持するためのシャフト１６ａ（およびその軸受面）に設けられるものである（４８）。変調処理を施すことなく直接的に音声信号を伝送する場合は、出力音声に、これらスリップリング４６，４８の接触面（導通面）での接触状態に応じたノイズが含まれることになるが、本実施形態のように変調処理した音声信号として伝送すれば、そのようなノイズを大幅に低減することができるようになる。
【００２１】
ゴンドラユニット２８は、ゴンドラ１６毎または複数のゴンドラ群毎に、回動部１８に（好適にはゴンドラ１６の室内に）設けられる。
【００２２】
各ゴンドラユニット２８は、地上装置２６から送信された放送信号を再生出力するための機能を備える。図２の例では、電力線３０経由で受信された信号（変調された信号）は、まず受信部５０で復調される。ここで、復調された信号には、クロック信号等の音声信号以外の信号も含まれるから、まずは、フィルタ（この例ではハイパスフィルタ：ＨＰＦ）５２によって音声信号が抽出される。そして、音声信号は増幅器５４によって増幅され、出力部（スピーカ）２４から対応する音声が出力される。
【００２３】
また、ゴンドラユニット２８は、音声や画像（動画または静止画）のコンテンツを記憶する記憶部５８を有しており、そこに記憶されたコンテンツの再生出力を制御する機能を有している。具体的には、その再生を、クロック信号に基づいて行うことで、回動部１８の回転位置、すなわちゴンドラ１６の位置に応じたコンテンツの再生を可能としている。図２の例の場合、復調された信号には音声信号等のクロック信号以外の信号も含まれているから、まずは、フィルタ（この例ではローパスフィルタ：ＬＰＦ）６０によって、復調された信号からクロック信号が抽出される。抽出されたクロック信号は、整流回路６２で整流されてクロックパルスとなり、カウンタ６４に入力される。そして、制御部６６は、カウンタ６４によるクロックパルスの計数結果（すなわちクロック信号の計数結果）に基づいて、記憶部５８に格納されたコンテンツの中から再生するコンテンツを選択するか、あるいはその再生タイミングを調整する。なお、再生するコンテンツやその種類、パターン等を指示するための操作入力部（例えば押圧スイッチ等）７０を設け、制御部６６が、その指示に基づいて再生を制御するようにしてもよい。
【００２４】
さて、クロック信号は、回動部１８の回動位置に応じて（例えば、回動部１８の回動に伴って所定のゴンドラ１６が所定位置を通過する度に）生成されるものであって、時間を基準として生成されるものではない。観覧車１２では、乗客がゴンドラ１６に乗り込むのに時間がかかったり、何らかの異常が生じたときには、回動部１８の回転速度を一時的に遅くしたりあるいは停止したりすることがある。このような場合に、時間を基準として（例えば乗り込み開始からの経過時間によって）コンテンツの再生を行うと、頂上付近用の景観案内が頂上に到達する前に終了してしまったり、ゴンドラ１６を降りるときの注意事項を示す案内が乗降部２２に到達するよりかなり手前の位置で行われたりする場合がある。その点、本実施形態によれば、回動部１８の回転位置、すなわちゴンドラ１６の位置に対応するクロック信号によってコンテンツの再生を行うので、このような事態は生じない。
【００２５】
また、カウンタ６４による計数は、リセット信号によってリセットされるようになっている。図２の例では、リセット信号は、ゴンドラユニット２８毎に設けられたリセットスイッチ６８が閉じたときに入力されるようになっている。かかるリセットスイッチ６８は、例えばゴンドラ１６の乗降ドアをターゲットとしその閉操作時にＯＮされる超音波センサスイッチとして構成することができる。この場合、ゴンドラ１６の乗降ドアの閉操作によりリセットスイッチ６８がＯＮとなり、カウンタ６４にリセット信号が入力される。そして、各ゴンドラユニット２８のカウンタ６４は、回動部１８が１回転する毎に、しかも全ゴンドラユニット２８について、ほぼ同じ回転位置（すなわちゴンドラ１６に乗客が乗り込んだ直後の位置；すなわち乗降部２２の先方側端部位置）で必ずリセットされることになる。かかる構成とすれば、クロック信号に基づく制御アルゴリズムを全ゴンドラユニット２８について共通化することができ、製造やメンテナンスに要する手間および費用を低減することができる。なお、リセットスイッチ６８は、ゴンドラ１６が回動部１８の下死点付近に位置するときや、乗客が乗り込んだときあるいはその前後（近傍）のタイミングで、手動または自動でＯＮされるものであればよく、上述した例には限定されない。
【００２６】
ここで、図３を参照して、本実施形態にかかる観覧車用コンテンツ再生システム１０によるコンテンツの再生について説明する。図３は、その一例を示す図である。
【００２７】
図３では、コンテンツＧ１は、例えば乗り込み時の案内音声、コンテンツＡは、例えばゴンドラ１６が頂上付近にあるときにその景観を案内する動画、またコンテンツＧ２は、例えばゴンドラ１６から降りるときの注意事項を示す音声である。そして図３は、回動部１８が１周する間にクロックが１２回出力される場合（すなわち図１の各ゴンドラ１６についてクロックが１回出力される場合）への適用例であって、コンテンツＧ１はカウンタ６４がリセットされたときに、コンテンツＡはクロックが５回計数されたときに、また、コンテンツＧ２はクロックが１０回計数されたときに、それぞれ再生されるように設定されている。
【００２８】
ゴンドラ１６の乗降ドアが閉じられるとリセットスイッチ６８がＯＮとなり、リセット信号が発生する。これにより、カウンタ６４の計数結果がリセットされる。カウンタ６４がリセットされると、コンテンツＧ１が再生される。
【００２９】
そして、コンテンツＡは、回動速度が遅くなった期間Ｔ１があったにも拘わらず、クロックが５回計数された時点、すなわちゴンドラ１６が頂上（頂上＝クロック６回）の手前に位置する時点から、再生される。同様に、コンテンツＧ２は、回動速度が遅くなった期間Ｔ１，Ｔ２があったにも拘わらず、クロックが１０回計数された時点、すなわちゴンドラ１６が乗降部２２にさしかかる前の時点から、再生される。このように、本実施形態によれば、回動部１８の速度変動によらず、回動部１８の回転位置、すなわちゴンドラ１６の位置に応じた適切なタイミングで、音声や画像が提供される。なお、操作入力部７０から特定の指示が入力されたときには、制御部６６は、その指示内容に応じて、例えばコンテンツＡに替えてコンテンツＢを再生することができる。また、図３の例では、回動速度が遅くなった期間Ｔ１において一斉放送が行われているが、これは、地上装置２６からの送信信号に基づいて出力されたものである。
【産業上の利用可能性】
【００３０】
本発明にかかる観覧車用コンテンツ再生システムは、ゴンドラ内でそのゴンドラの位置に応じた音声および／または画像を提供する観覧車に好適である。
【図面の簡単な説明】
【００３１】
【図１】本発明の実施形態にかかる観覧車用コンテンツ再生システムの装備される観覧車の一例を示す側面図である。
【図２】本発明の実施形態にかかる観覧者用コンテンツ再生システムの要部構成の一例を示すブロック図である。
【図３】本発明の実施形態にかかる観覧車用コンテンツ再生システムによってコンテンツの再生されるタイミングの一例を示す図である。
【符号の説明】
【００３２】
１０  観覧車用コンテンツ再生システム、１２  観覧車、１４  回動輪、１４ａ  シャフト、１６  ゴンドラ、１６ａ  シャフト、１８  回動部、２０  支持部、２２  乗降部、２４  出力部、２６  地上装置、２８  ゴンドラユニット、３０  電力線、３２  電力線搬送処理部、３４  マイク、３６  テープレコーダ、３８  オーディオミキサ、４０  ハイパスフィルタ、４２  クロック発生部、４４  ゴンドラセンサ、４６，４８  スリップリング、５０  受信部、５４  増幅器、５８  記憶部、６０  ローパスフィルタ、６２  整流回路、６４  カウンタ、６６  制御部、６８  リセットスイッチ。
【図１】
2005034492.tif 000003
【図２】
2005034492.tif 000004
【図３】
2005034492.tif 000005